(57)【要約】  本発明の実施例は通信モードを切り替える方法、端末装置及びネットワーク装置を提供し、該方法は、端末装置はネットワーク装置が送信した第１指示情報を受信し、第１指示情報は端末装置が現在通信モードからターゲット通信モードに切り替えることを指示することに用いられ、現在通信モードとターゲット通信モードは第１通信モード、第２通信モード及び第３通信モードの中の任意の２種の通信モードであり、第１通信モードはＵｕインターフェイスに基づく通信モードであり、第２通信モードはネットワーク装置により制御された、ストレートインターフェイスに基づく通信モードであり、第３通信モードは端末装置により自律制御された、ストレートインターフェイスに基づく通信モードであることと、端末装置は第１指示情報に基づき、通信モードの切り替えを行うことと、を含む。本発明の実施例は通信システムの柔軟性を向上させることができる。
2020502876.tif 000002
【特許請求の範囲】
【請求項１】
通信モードを切り替える方法であって、
端末装置はネットワーク装置が送信した第１指示情報を受信し、前記第１指示情報は前記端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードであることと、
前記端末装置は前記第１指示情報に基づき、通信モードの切替を行うことと、を含むことを特徴とする通信モードを切り替える方法。
【請求項２】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記端末装置がネットワーク装置が送信した第１指示情報を受信することは、
前記端末装置は前記ネットワーク装置が送信した再構成シグナリングを受信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含むことを特徴とする請求項１に記載の方法。
【請求項３】
前記再構成シグナリングは無線リソース制御ＲＲＣ再構成シグナリング、メディアアクセス制御制御要素ＭＡＣ  ＣＥ及び物理層シグナリングの中の１種であることを特徴とする請求項２に記載の方法。
【請求項４】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記端末装置がネットワーク装置が送信した第１指示情報を受信することは、
前記端末装置は前記ネットワーク装置が送信した解放シグナリングを受信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含むことを特徴とする請求項１に記載の方法。
【請求項５】
前記解放シグナリングは、ＲＲＣ接続解放シグナリング、ＭＡＣ  ＣＥ及び物理層シグナリングの中の１種であることを特徴とする請求項４に記載の方法。
【請求項６】
前記端末装置がネットワーク装置が送信した第１指示情報を受信することは、
前記端末装置は前記ネットワーク装置が送信したシステム情報を受信し、前記システム情報は前記第１指示情報を含むことを含むのを特徴とする請求項１に記載の方法。
【請求項７】
前記端末装置がネットワーク装置が送信した第１指示情報を受信する前に、前記方法は、
前記端末装置は前記ネットワーク装置へリソース使用情報を送信し、前記リソース使用情報は前記現在通信モードでの通信リソースの使用状況を指示することに用いられることを更に含むことを特徴とする請求項１〜６のいずれかに記載の方法。
【請求項８】
前記リソース使用情報は前記通信リソースの干渉状況及び前記通信リソースの衝突状況の中の少なくとも１種を含むことを特徴とする請求項７に記載の方法。
【請求項９】
前記方法は、
前記端末装置は前記ネットワーク装置へ前記端末装置の処理待ちサービスのサービス情報を送信することを更に含むことを特徴とする請求項１〜８のいずれかに記載の方法。
【請求項１０】
前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含むことを特徴とする請求項９に記載の方法。
【請求項１１】
前記方法は、
前記端末装置は前記ネットワーク装置が送信した第２指示情報を受信し、前記第２指示情報は前記端末装置が前記現在通信モードから前記ターゲット通信モードに切り替えるトリガーイベントを指示することに用いられることを更に含むことを特徴とする請求項１〜１０のいずれかに記載の方法。
【請求項１２】
前記第２指示情報は、前記現在通信モードでの通信リソースの使用状況が前記第２指示情報に指示された条件を満たす場合に、前記端末装置が前記現在通信モードから前記ターゲット通信モードに切り替えることを指示することに用いられることを特徴とする請求項１１に記載の方法。
【請求項１３】
前記第２指示情報が指示した前記条件は、前記通信リソースの干渉度合の閾値及び前記通信リソースの衝突度合の閾値の中の少なくとも１種を含むことを特徴とする請求項１２に記載の方法。
【請求項１４】
前記端末装置はアイドル状態にある端末装置であることを特徴とする請求項１３に記載の方法。
【請求項１５】
通信モードを切り替える方法であって、
ネットワーク装置は第１指示情報を生成し、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードであることと、
前記ネットワーク装置は前記端末装置へ前記第１指示情報を送信することと、を含むことを特徴とする通信モードを切り替える方法。
【請求項１６】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記ネットワーク装置が前記端末装置へ前記第１指示情報を送信することは、
前記ネットワーク装置は前記端末装置へ再構成シグナリングを送信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含むことを特徴とする請求項１５に記載の方法。
【請求項１７】
前記再構成シグナリングは無線リソース制御ＲＲＣ再構成シグナリング、メディアアクセス制御制御要素ＭＡＣ  ＣＥ及び物理層シグナリングの中の１種であることを特徴とする請求項１６に記載の方法。
【請求項１８】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記ネットワーク装置が前記端末装置へ前記第１指示情報を送信することは、
前記ネットワーク装置は前記端末装置へ解放シグナリングを送信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含むことを特徴とする請求項１５に記載の方法。
【請求項１９】
前記解放シグナリングは、ＲＲＣ接続解放シグナリング、ＭＡＣ  ＣＥ及び物理層シグナリングの中の１種であることを特徴とする請求項１８に記載の方法。
【請求項２０】
前記ネットワーク装置が前記端末装置へ前記第１指示情報を送信することは、
前記ネットワーク装置は前記端末装置へシステム情報を送信し、前記システム情報は前記第１指示情報を含むことを含むことを特徴とする請求項１５に記載の方法。
【請求項２１】
前記ネットワーク装置が第１指示情報を生成する前に、前記方法は、
前記ネットワーク装置は前記端末装置が送信したリソース使用情報を受信し、前記リソース使用情報は前記現在通信モードでの通信リソースの使用状況を指示することに用いられることを更に含むことを特徴とする請求項１５〜２０のいずれかに記載の方法。
【請求項２２】
前記リソース使用情報は、前記通信リソースの干渉状況及び前記通信リソースの衝突状況の中の少なくとも１種を含むことを特徴とする請求項２１に記載の方法。
【請求項２３】
前記方法は、
前記ネットワーク装置は前記ネットワーク装置が送信した前記端末装置の処理待ちサービスのサービス情報を受信することを更に含むことを特徴とする請求項１５〜２２のいずれかに記載の方法。
【請求項２４】
前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含むことを特徴とする請求項２３に記載の方法。
【請求項２５】
前記方法は、
前記ネットワーク装置は前記端末装置へ第２指示情報を送信し、前記第２指示情報は前記端末装置が前記現在通信モードから前記ターゲット通信モードに切り替えるトリガーイベントを指示することに用いられることを更に含むことを特徴とする請求項１５〜２４のいずれかに記載の方法。
【請求項２６】
前記第２指示情報は、前記現在通信モードでの通信リソースの使用状況が前記第２指示情報に指示された条件を満たす場合に、前記端末装置が前記現在通信モードから前記ターゲット通信モードに切り替えることを指示することに用いられることを特徴とする請求項２５に記載の方法。
【請求項２７】
前記第２指示情報が指示した前記条件は、前記通信リソースの干渉度合の閾値及び前記通信リソースの衝突度合の閾値の中の少なくとも１種を含むことを特徴とする請求項２６に記載の方法。
【請求項２８】
前記端末装置はアイドル状態にある端末装置であることを特徴とする請求項２７に記載の方法。
【請求項２９】
端末装置であって、
ネットワーク装置が送信した第１指示情報を受信することに用いられ、前記第１指示情報は前記端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードである受信モジュール、及び
前記第１指示情報に基づき、通信モードの切り替えを行うための切り替えモジュールを備えることを特徴とする端末装置。
【請求項３０】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記受信モジュールは具体的に前記ネットワーク装置が送信した再構成シグナリングを受信することに用いられ、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを特徴とする請求項２９に記載の端末装置。
【請求項３１】
前記再構成シグナリングは無線リソース制御ＲＲＣ再構成シグナリング、メディアアクセス制御制御要素ＭＡＣ  ＣＥ及び物理層シグナリングの中の１種であることを特徴とする請求項３０に記載の端末装置。
【請求項３２】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記受信モジュールは、具体的に、前記ネットワーク装置が送信した解放シグナリングを受信することに用いられ、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを特徴とする請求項２９に記載の端末装置。
【請求項３３】
前記解放シグナリングはＲＲＣ接続解放シグナリング、ＭＡＣ  ＣＥ及び物理層シグナリングの中の１種であることを特徴とする請求項３２に記載の端末装置。
【請求項３４】
前記受信モジュールは、具体的に、前記ネットワーク装置が送信したシステム情報を受信することに用いられ、前記システム情報は前記第１指示情報を含むことを特徴とする請求項２９に記載の端末装置。
【請求項３５】
前記端末装置は、
前記ネットワーク装置へリソース使用情報を送信することに用いられ、前記リソース使用情報は前記現在通信モードでの通信リソースの使用状況を指示することに用いられる第１送信モジュールを更に備えることを特徴とする請求項２９〜３４のいずれかに記載の端末装置。
【請求項３６】
前記リソース使用情報は前記通信リソースの干渉状況及び前記通信リソースの衝突状況の中の少なくとも１種を含むことを特徴とする請求項３５に記載の端末装置。
【請求項３７】
前記端末装置は、
前記ネットワーク装置へ前記端末装置の処理待ちサービスのサービス情報を送信するための第２送信モジュールを更に備えることを特徴とする請求項２９〜３６のいずれかに記載の端末装置。
【請求項３８】
前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含むことを特徴とする請求項３７に記載の端末装置。
【請求項３９】
前記受信モジュールは更に前記ネットワーク装置が送信した第２指示情報を受信することに用いられ、前記第２指示情報は前記端末装置が前記現在通信モードから前記ターゲット通信モードに切り替えるトリガーイベントを指示することに用いられることを特徴とする請求項２９〜３８のいずれかに記載の端末装置。
【請求項４０】
前記第２指示情報は、前記現在通信モードでの通信リソースの使用状況が前記第２指示情報に指示された条件を満たす場合に、前記端末装置が前記現在通信モードから前記ターゲット通信モードに切り替えることを指示することに用いられることを特徴とする請求項３９に記載の端末装置。
【請求項４１】
前記第２指示情報が指示した前記条件は、前記通信リソースの干渉度合の閾値及び前記通信リソースの衝突度合の閾値の中の少なくとも１種を含むことを特徴とする請求項４０に記載の端末装置。
【請求項４２】
前記端末装置はアイドル状態にある端末装置であることを特徴とする請求項４１に記載の端末装置。
【請求項４３】
ネットワーク装置であって、
第１指示情報を生成することに用いられ、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードである生成モジュールと、
前記端末装置へ前記第１指示情報を送信するための送信モジュールとを備えることを特徴とするネットワーク装置。
【請求項４４】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記送信モジュールは、具体的に、前記端末装置へ再構成シグナリングを送信することに用いられ、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを特徴とする請求項４３に記載のネットワーク装置。
【請求項４５】
前記再構成シグナリングは無線リソース制御ＲＲＣ再構成シグナリング、メディアアクセス制御制御要素ＭＡＣ  ＣＥ及び物理層シグナリングの中の１種であることを特徴とする請求項４４に記載のネットワーク装置。
【請求項４６】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記送信モジュールは、具体的に、前記端末装置へ解放シグナリングを送信することに用いられ、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを特徴とする請求項４３に記載のネットワーク装置。
【請求項４７】
前記解放シグナリングは、ＲＲＣ接続解放シグナリング、ＭＡＣ  ＣＥ及び物理層シグナリングの中の１種であることを特徴とする請求項４６に記載のネットワーク装置。
【請求項４８】
前記送信モジュールは、具体的に、前記端末装置へシステム情報を送信することに用いられ、前記システム情報は前記第１指示情報を含むことを特徴とする請求項４３に記載のネットワーク装置。
【請求項４９】
前記ネットワーク装置は、
前記端末装置が送信したリソース使用情報を受信することに用いられ、前記リソース使用情報は前記現在通信モードでの通信リソースの使用状況を指示することに用いられる第１受信モジュールを更に備えることを特徴とする請求項４３〜４８のいずれかに記載のネットワーク装置。
【請求項５０】
前記リソース使用情報は、前記通信リソースの干渉状況及び前記通信リソースの衝突状況の中の少なくとも１種を含むことを特徴とする請求項４９に記載のネットワーク装置。
【請求項５１】
前記ネットワーク装置は、
前記ネットワーク装置が送信した前記端末装置の処理待ちサービスのサービス情報を受信するための第２受信モジュールを更に備えることを特徴とする請求項４３〜５０のいずれかに記載のネットワーク装置。
【請求項５２】
前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含むことを特徴とする請求項５１に記載のネットワーク装置。
【請求項５３】
前記送信モジュールは更に、前記端末装置へ第２指示情報を送信することに用いられ、前記第２指示情報は前記端末装置が前記現在通信モードから前記ターゲット通信モードに切り替えるトリガーイベントを指示することに用いられることを特徴とする請求項４３〜５２のいずれかに記載のネットワーク装置。
【請求項５４】
前記第２指示情報は、前記現在通信モードでの通信リソースの使用状況が前記第２指示情報に指示された条件を満たす場合に、前記端末装置が前記現在通信モードから前記ターゲット通信モードに切り替えることを指示することに用いられることを特徴とする請求項５３に記載のネットワーク装置。
【請求項５５】
前記第２指示情報が指示した前記条件は、前記通信リソースの干渉度合の閾値及び前記通信リソースの衝突度合の閾値の中の少なくとも１種を含むことを特徴とする請求項５４に記載のネットワーク装置。
【請求項５６】
前記端末装置はアイドル状態にある端末装置であることを特徴とする請求項５５に記載のネットワーク装置。
【発明の詳細な説明】
【技術分野】
【０００１】
本発明の実施例は通信分野に関し、より具体的に、通信モードを切り替える方法、端末装置及びネットワーク装置に関する。
【背景技術】
【０００２】
将来の通信システム（例えばセルラネットワークシステム）の適用分野は従来の人間と人間との通信から車と人、車と車の通信に拡張していき、車と人、車と車の通信によって、交通トラフィック効率を効果的に向上させ、交通事故を避け、運転リスクを低下させることができる。
【０００３】
Ｖ２Ｘを例として、Ｖ２Ｘの通信過程において、端末装置（例えば車両であってもよい）は、ストレートインターフェイスに基づく通信モード（又はサイドリンク（ｓｉｄｅｌｉｎｋ）インターフェイスと称す）又はエアインターフェイス（即ちＵｕインターフェイス）に基づく通信モードを使用してユーザーデータ通信を行う必要があり、それによって端末装置間及び端末と外部との間の正常なデータ情報インタラクションを確保する。
【０００４】
しかし、従来の技術において、端末装置がある通信モードで通信している状態にある場合、該端末装置はその他の通信モードを使用して通信することができなく、通信システムの柔軟性は比較的に低い。
【発明の概要】
【課題を解決するための手段】
【０００５】
本発明の実施例は通信モードを切り替える方法、端末装置及びネットワーク装置を提供し、それによって通信システムの柔軟性を向上させる。
【０００６】
第１態様は、通信モードを切り替える方法を提供し、端末装置はネットワーク装置が送信した第１指示情報を受信し、前記第１指示情報は前記端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードであることと、前記端末装置は前記第１指示情報に基づき、通信モードの切替を行うことと、を含む。
【０００７】
第１態様を組み合わせ、第１態様のいくつかの実現方式において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記端末装置がネットワーク装置が送信した第１指示情報を受信することは、前記端末装置は前記ネットワーク装置が送信した再構成シグナリングを受信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含む。
【０００８】
第１態様を組み合わせ、第１態様のいくつかの実現方式において、前記再構成シグナリングは無線リソース制御ＲＲＣ再構成シグナリング、メディアアクセス制御制御要素ＭＡＣ  ＣＥ及び物理層シグナリングの中の１種である。
【０００９】
第１態様を組み合わせ、第１態様のいくつかの実現方式において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記端末装置がネットワーク装置が送信した第１指示情報を受信することは、前記端末装置は前記ネットワーク装置が送信した解放シグナリングを受信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含む。
【００１０】
第１態様を組み合わせ、第１態様のいくつかの実現方式において、前記解放シグナリングは、ＲＲＣ接続解放シグナリング、ＭＡＣ  ＣＥ及び物理層シグナリングの中の１種である。
【００１１】
第１態様を組み合わせ、第１態様のいくつかの実現方式において、前記端末装置がネットワーク装置が送信した第１指示情報を受信することは、前記端末装置は前記ネットワーク装置が送信したシステム情報を受信し、前記システム情報は前記第１指示情報を含むことを含む。
【００１２】
第１態様を組み合わせ、第１態様のいくつかの実現方式において、前記端末装置がネットワーク装置が送信した第１指示情報を受信する前に、前記方法は、前記端末装置は前記ネットワーク装置へリソース使用情報を送信し、前記リソース使用情報は前記現在通信モードでの通信リソースの使用状況を指示することに用いられることを更に含む。
【００１３】
第１態様を組み合わせ、第１態様のいくつかの実現方式において、前記リソース使用情報は前記通信リソースの干渉状況及び前記通信リソースの衝突状況の中の少なくとも１種を含む。
【００１４】
第１態様を組み合わせ、第１態様のいくつかの実現方式において、前記方法は、前記端末装置は前記ネットワーク装置へ前記端末装置の処理待ちサービスのサービス情報を送信することを更に含む。
【００１５】
第１態様を組み合わせ、第１態様のいくつかの実現方式において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【００１６】
第１態様を組み合わせ、第１態様のいくつかの実現方式において、前記方法は、前記端末装置は前記ネットワーク装置が送信した第２指示情報を受信し、前記第２指示情報は前記端末装置が前記現在通信モードから前記ターゲット通信モードに切り替えるトリガーイベントを指示することに用いられることを更に含む。
【００１７】
第１態様を組み合わせ、第１態様のいくつかの実現方式において、前記第２指示情報は前記現在通信モードでの通信リソースの使用状況が前記第２指示情報に指示された条件を満たす場合に、前記端末装置が前記現在通信モードから前記ターゲット通信モードに切り替えることを指示することに用いられる。
【００１８】
第１態様を組み合わせ、第１態様のいくつかの実現方式において、前記第２指示情報が指示した前記条件は、前記通信リソースの干渉度合の閾値及び前記通信リソースの衝突度合の閾値の中の少なくとも１種を含む。
【００１９】
第１態様を組み合わせ、第１態様のいくつかの実現方式において、前記端末装置はアイドル状態にある端末装置である。
【００２０】
第２態様は、通信モードを切り替える方法を提供し、ネットワーク装置は第１指示情報を生成し、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードであることと、前記ネットワーク装置は前記端末装置へ前記第１指示情報を送信することと、を含む。
【００２１】
第２態様を組み合わせ、第２態様のいくつかの実現方式において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記ネットワーク装置が前記端末装置へ前記第１指示情報を送信することは、前記ネットワーク装置は前記端末装置へ再構成シグナリングを送信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含む。
【００２２】
第２態様を組み合わせ、第２態様のいくつかの実現方式において、前記再構成シグナリングは無線リソース制御ＲＲＣ再構成シグナリング、メディアアクセス制御制御要素ＭＡＣ  ＣＥ及び物理層シグナリングの中の１種である。
【００２３】
第２態様を組み合わせ、第２態様のいくつかの実現方式において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記ネットワーク装置が前記端末装置へ前記第１指示情報を送信することは、前記ネットワーク装置は前記端末装置へ解放シグナリングを送信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含む。
【００２４】
第２態様を組み合わせ、第２態様のいくつかの実現方式において、前記解放シグナリングは、ＲＲＣ接続解放シグナリング、ＭＡＣ  ＣＥ及び物理層シグナリングの中の１種である。
【００２５】
第２態様を組み合わせ、第２態様のいくつかの実現方式において、前記ネットワーク装置が前記端末装置へ前記第１指示情報を送信することは、前記ネットワーク装置は前記端末装置へシステム情報を送信し、前記システム情報は前記第１指示情報を含むことを含む。
【００２６】
第２態様を組み合わせ、第２態様のいくつかの実現方式において、前記ネットワーク装置が第１指示情報を生成する前に、前記方法は、前記ネットワーク装置は前記端末装置が送信したリソース使用情報を受信し、前記リソース使用情報は前記現在通信モードでの通信リソースの使用状況を指示することに用いられることを更に含む。
【００２７】
第２態様を組み合わせ、第２態様のいくつかの実現方式において、前記リソース使用情報は前記通信リソースの干渉状況及び前記通信リソースの衝突状況の中の少なくとも１種を含む。
【００２８】
第２態様を組み合わせ、第２態様のいくつかの実現方式において、前記方法は、前記ネットワーク装置は前記ネットワーク装置が送信した前記端末装置の処理待ちサービスのサービス情報を受信することを更に含む。
【００２９】
第２態様を組み合わせ、第２態様のいくつかの実現方式において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【００３０】
第２態様を組み合わせ、第２態様のいくつかの実現方式において、前記方法は、前記ネットワーク装置は前記端末装置へ第２指示情報を送信し、前記第２指示情報は前記端末装置が前記現在通信モードから前記ターゲット通信モードに切り替えるトリガーイベントを指示することに用いられることを更に含む。
【００３１】
第２態様を組み合わせ、第２態様のいくつかの実現方式において、前記第２指示情報は前記現在通信モードでの通信リソースの使用状況が前記第２指示情報に指示された条件を満たす場合に、前記端末装置が前記現在通信モードから前記ターゲット通信モードに切り替えることを指示することに用いられる。
【００３２】
第２態様を組み合わせ、第２態様のいくつかの実現方式において、前記第２指示情報が指示した前記条件は、前記通信リソースの干渉度合の閾値及び前記通信リソースの衝突度合の閾値の中の少なくとも１種を含む。
【００３３】
第２態様を組み合わせ、第２態様のいくつかの実現方式において、前記端末装置はアイドル状態にある端末装置である。
【００３４】
第３態様は、端末装置を提供し、第１態様における方法を実行するためのモジュールを備える。
【００３５】
第４態様は、ネットワーク装置を提供し、第２態様における方法を実行するためのモジュールを備える。
【００３６】
第５態様は、端末装置を提供し、プロセッサー及びトランシーバを備え、前記プロセッサーは前記トランシーバに基づいて第１態様における方法を実行する。
【００３７】
第６態様は、ネットワーク装置を提供し、プロセッサー及びトランシーバを備え、前記プロセッサーは前記トランシーバに基づいて第２態様における方法を実行する。
【００３８】
第７態様は、コンピュータ可読媒体を提供し、前記コンピュータ可読媒体に端末装置が実行するためのプログラムコードが記憶され、前記プログラムコードは第１態様における方法を実行するための命令を含む。
【００３９】
第８態様は、コンピュータ可読媒体を提供し、前記コンピュータ可読媒体にネットワーク装置が実行するためのプログラムコードが記憶され、前記プログラムコードは第２態様における方法を実行するための命令を含む。
【００４０】
本発明の実施例において、端末装置はネットワーク装置が送信した第１指示情報に基づいて異なる通信モードの切り替えを行い、端末装置は多種の通信モードの間で切り替えを行うことができ、通信システムの柔軟性を向上させる。
【図面の簡単な説明】
【００４１】
本発明の実施例の技術的解決手段をより明確的に説明するために、以下、本発明の実施例に使用する必要のある図面を簡単に説明する。明らかに以下で説明する図面は本発明のいくつかの実施例だけであり、当業者にとって、創造的な労力を払わない前提で、更にこれらの図面に基づいてその他の図面を取得することができる。
【００４２】
【図１】図１は本発明の実施例による通信モードを切り替える方法を示す模式的なフローチャートである。
【図２】図２は本発明の実施例による通信モードを切り替える方法を示す模式的なフローチャートである。
【図３】図３は本発明の実施例による端末装置を示す模式的な構造図である。
【図４】図４は本発明の実施例によるネットワーク装置を示す模式的な構造図である。
【図５】図５は本発明の実施例による端末装置を示す模式的な構造図である。
【図６】図６は本発明の実施例によるネットワーク装置を示す模式的な構造図である。
【発明を実施するための形態】
【００４３】
以下、本発明の実施例における図面を参照しながら、本発明の実施例における技術的解決手段を明確に完全に説明する。
【００４４】
理解すべきなのは、在本発明の実施例において、端末装置は移動局（Ｍｏｂｉｌｅ  Ｓｔａｔｉｏｎ、ＭＳ）、移動端末（Ｍｏｂｉｌｅ  Ｔｅｒｍｉｎａｌ）、移動電話（Ｍｏｂｉｌｅ  Ｔｅｌｅｐｈｏｎｅ）、ユーザ装置（Ｕｓｅｒ  Ｅｑｕｉｐｍｅｎｔ、ＵＥ）、ハンドセット（ｈａｎｄｓｅｔ）及びポータブル機器（ｐｏｒｔａｂｌｅ  ｅｑｕｉｐｍｅｎｔ）、車両（ｖｅｈｉｃｌｅ）等を含むが、これらに制限されなく、該端末装置は無線アクセスネットワーク（Ｒａｄｉｏ  Ａｃｃｅｓｓ  Ｎｅｔｗｏｒｋ、ＲＡＮ）によって１つ又は複数のコアネットワークと通信でき、例えば、端末装置は携帯電話（又はセルラーホンとも呼ばれる）、無線通信機能を有するコンピュータ等であってもよく、端末装置はまたポータブル、ポケット、ハンドヘルド、コンピュータに内蔵された又は車載の移動装置であってもよい。
【００４５】
更に理解すべきなのは、本発明の実施例において、ネットワーク装置はアクセスネットワーク機器、例えば基地局、送信及び受信ポイント（Ｔｒａｎｓｍｉｔ  ａｎｄ  Ｒｅｃｅｉｖｅ  Ｐｏｉｎｔ、ＴＲＰ）又はアクセスポイントであってもよく、基地局はＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよいし、ＷＣＤＭＡにおける基地局（ＮｏｄｅＢ）であってもよいし、ＬＴＥにおける進化型基地局（ｅｖｏｌｖｅｄ  Ｎｏｄｅ  Ｂ、ｅＮＢ又はｅ−ＮｏｄｅＢ）であってもよいし、ＮＲ又は５Ｇの基地局（ｇＮＢ）であってもよく、本発明の実施例はこれを具体的に制限しない。
【００４６】
本発明の実施例が適用する通信システムは多種あってもよく、例えばＶ２Ｖ、Ｖ２Ｘ、デバイスツーデバイス（Ｄｅｖｉｃｅ  ｔｏ  Ｄｅｖｉｃｅ、Ｄ２Ｄ）等の通信システムであってもよく、本発明の実施例はこれを具体的に制限しない。Ｖ２Ｘ通信システムを例として、Ｖ２Ｘ通信システムには一般的に、Ｕｕインターフェイスに基づく通信モード、ネットワーク装置により制御された、ストレートインターフェイスに基づく通信モード、端末装置により自律制御（又は自律選択と呼ばれる）された、ストレートインターフェイスに基づく通信モードという３種の通信モードが存在する。
【００４７】
具体的に、Ｕｕインターフェイスに基づく通信モードはエアインターフェイスに基づく通信モードとも呼ばれ、該通信モードで、端末装置はネットワーク装置（例えば基地局）と様々な無線ベアラサービスを確立、再構成及び解放することができる。ネットワーク装置により制御された、ストレートインターフェイスに基づく通信モードは端末装置と端末装置との間の直接通信を指してもよく、且つこのような通信モードで、端末装置と端末装置との間の通信リソースはネットワーク装置により割り当てられることができる。端末装置により自律制御された、ストレートインターフェイスに基づく通信モードは端末装置と端末装置との間の直接通信を指してもよく、且つこのような通信モードで、端末装置と端末装置との間の通信リソースは端末装置により自律的に割り当てられることができる。
【００４８】
なお、本願におけるストレートインターフェイスに基づく通信は端末装置と端末装置との間の通信を指してもよく、例えば、端末装置と端末装置との間のデータ情報インタラクション又は通信であってもよい。選択肢として、いくつかの実施例において、ストレートインターフェイスに基づく通信はサイドリンクに基づく通信とも呼ばれるが、本発明の実施例はこれに制限されない。
【００４９】
通信システムの柔軟性を向上させるために、本発明の実施例では通信モード間で切り替える機構を導入した。以下、図１を参照しながら詳細的に説明する。
【００５０】
図１は本発明の実施例による通信モードを切り替える方法を示す模式的なフローチャートである。図１の方法は、以下のステップ１１０と１２０を含む。
１１０、端末装置はネットワーク装置が送信した第１指示情報を受信し、第１指示情報は端末装置が現在通信モードからターゲット通信モードに切り替えることを指示することに用いられ、現在通信モード及びターゲット通信モードは第１通信モード、第２通信モード及び第３通信モードの中の任意の２種の通信モードであり、第１通信モードはＵｕインターフェイスに基づく通信モードであり、第２通信モードはネットワーク装置により制御された、ストレートインターフェイスに基づく通信モードであり、第３通信モードは端末装置により自律制御された、ストレートインターフェイスに基づく通信モードである。
【００５１】
１２０、端末装置は第１指示情報に基づき、通信モードの切り替えを行う。
【００５２】
本発明の実施例において、端末装置はネットワーク装置が送信した第１指示情報に基づいて異なる通信モードの切り替えを行い、端末装置は多種の通信モードの間で切り替えを行うことができ、通信システムの柔軟性を向上させる。
【００５３】
選択肢として、いくつかの実施例において、現在通信モードは第１通信モードと第２通信モードの中の１種の通信モードであり、ターゲット通信モードは第１通信モード及び第２通信モードの中の、現在通信モードを除いた他種の通信モードであり、ステップ１１０は、端末装置はネットワーク装置が送信した再構成シグナリングを受信し、再構成シグナリングは第１指示情報を含み、再構成シグナリングは端末装置が端末装置とネットワーク装置との制御接続を維持しながら、第１指示情報の指示に従って通信モードをターゲット通信モードに切り替える（又は設定する）ことを指示することに用いられることを含んでもよい。
【００５４】
選択肢として、いくつかの実施例において、再構成シグナリングは無線リソース制御（Ｒａｄｉｏ  Ｒｅｓｏｕｒｃｅ  Ｃｏｎｔｒｏｌ、ＲＲＣ）再構成シグナリング（又はＲＲＣ再構成メッセージと呼ばれ）、メディアアクセス制御（Ｍｅｄｉｕｍ  Ａｃｃｅｓｓ  Ｃｏｎｔｒｏｌ、ＭＡＣ）制御要素（Ｃｏｎｔｒｏｌ  Ｅｌｅｍｅｎｔ、ＣＥ）及び物理層シグナリングの中の１種である。物理層シグナリングは例えばダウンリンク制御情報（Ｄｏｗｎｌｉｎｋ  Ｃｏｎｔｒｏｌ  Ｉｎｆｏｒｍａｔｉｏｎ、ＤＣＩ）であってもよい。
【００５５】
選択肢として、いくつかの実施例において、現在通信モードは第１通信モードと第２通信モードの中の１種の通信モードであり、ターゲット通信モードは第１通信モード及び第２通信モードの中の、現在通信モードを除いた他種の通信モードであり、ステップ１１０は、端末装置はネットワーク装置が送信した解放シグナリングを受信し、解放シグナリングは第１指示情報を含み、解放シグナリングは端末装置が端末装置とネットワーク装置との間の制御接続を解放した後に、第１指示情報の指示に従って通信モードをターゲット通信モードに切り替える（又は設定する）ことを指示することに用いられることを含んでもよい。
【００５６】
具体的に、いくつかの実施例において、端末装置は端末装置とネットワーク装置との間の制御接続を解放した後に、ネットワーク装置と新しい接続を再確立する場合、端末装置は新しい接続を確立する際に、第１指示情報の指示に従って通信モードをターゲット通信モードに切り替える（又は設定する）ことができる。他の実施例において、端末装置は端末装置とネットワーク装置との間の制御接続を解放した後に、端末装置は第３通信モードに入る場合、端末装置は端末装置と端末装置との間のリンクを確立する過程において、第１指示情報の指示に従って通信モードをターゲット通信モードに切り替える（又は設定する）。
【００５７】
選択肢として、いくつかの実施例において、解放シグナリングは、ＲＲＣ接続解放シグナリング（又はＲＲＣ接続解放メッセージと呼ばれる）、ＭＡＣ  ＣＥ及び物理層シグナリングの中の１種である。物理層シグナリングは例えばＤＣＩであってもよい。
【００５８】
選択肢として、いくつかの実施例において、ステップ１１０は、端末装置はネットワーク装置が送信したシステム情報を受信し、システム情報は第１指示情報を含むことを含んでもよい。システム情報は例えばシステム情報ブロック（Ｓｙｓｔｅｍ  Ｉｎｆｏｒｍａｔｉｏｎ  Ｂｌｏｃｋ、ＳＩＢ）であってもよい。
【００５９】
選択肢として、いくつかの実施例において、ステップ１１０の前に、図１の方法は更に、端末装置はネットワーク装置へリソース使用情報を送信し、リソース使用情報は現在通信モードでの通信リソースの使用状況を指示することに用いられることを含んでもよい。更に、該リソース使用情報は現在通信モードでの通信リソースの使用状況を指示することに用いられ、それによって前記ネットワーク装置は該リソース使用情報に基づいて端末装置を現在通信モードからターゲット通信モードに切り替えることを確定する。或いは、言い換えると、該リソース使用情報はネットワーク装置が前記端末装置の通信モードを切り替えるか否かを確定することに用いられる。
【００６０】
選択肢として、いくつかの実施例において、リソース使用情報は通信リソースの干渉状況及び通信リソースの衝突状況の中の少なくとも１種を含む。
【００６１】
選択肢として、いくつかの実施例において、図１の方法は更に、端末装置はネットワーク装置へ端末装置の処理待ちサービスのサービス情報を送信することを含んでもよい。なお、本発明の実施例は端末装置がネットワーク装置へ端末装置の処理待ちサービスのサービス情報を送信するタイミングを具体的に制限しない。例えば、端末装置はステップ１１０を実行する前に、ネットワーク装置へ端末装置の処理待ちサービスのサービス情報を送信することができ、それによってネットワーク装置は該サービス情報に基づいて端末装置の通信モードを切り替えるか否かを確定する。また例えば、指示情報が解放シグナリングである場合に、端末装置はネットワーク装置と新しい接続を確立する過程において、ネットワーク装置へ端末装置の処理待ちサービスのサービス情報を送信してもよい。
【００６２】
理解すべきなのは、本発明の実施例はサービス情報のタイプを具体的に制限しなく、例えば、処理待ちサービスのサービス情報は、処理待ちサービスにおけるデータパケットの送信周期、処理待ちサービスにおけるデータパケットの伝送モード、処理待ちサービスに使用されるベアラのタイプ、処理待ちサービスにおけるデータパケットのサイズの中の少なくとも１種を含む。処理待ちサービスに使用されるベアラの定義方式は多種あってもよく、選択肢として、いくつかの実施例において、異なるサービス品質（Ｑｕａｌｉｔｙ  ｏｆ  Ｓｅｒｖｉｃｅ、ＱｏＳ）のベアラを異なるタイプのベアラに定義することができる。選択肢として、他の実施例において、異なるタイプのサービスに対応するベアラを異なるタイプのベアラに定義することができ、例えば音声サービスのベアラ又はデータサービスのベアラである。処理待ちサービスにおけるデータパケットの伝送モードの定義方式は多種あってもよく、例えばデータパケットの間の伝送間隔及び／又はデータパケットの伝送レート等を指してもよい。
【００６３】
選択肢として、いくつかの実施例において、図１の方法は更に、端末装置はネットワーク装置が送信した第２指示情報を受信し、第２指示情報は端末装置が現在通信モードからターゲット通信モードに切り替えるトリガーイベントを指示することに用いられることを含んでもよい。
【００６４】
なお、本発明の実施例はトリガーイベントのタイプを具体的に制限しない。例えば、トリガーイベントはあるタイプのサービスであってもよく、このような場合は、第２指示情報は端末装置がある特別のタイプのサービスを送信する必要がある際に、現在通信モードからターゲット通信モードに切り替えることを指示することに用いられることができる。また例えば、トリガーイベントは１つの条件であってもよく、このような場合は、第２指示情報は現在通信モードでの通信リソースの使用状況が第２指示情報に指示された条件を満たす場合に、端末装置が現在通信モードからターゲット通信モードに切り替えることを指示することに用いられることができる。
【００６５】
選択肢として、いくつかの実施例において、第２指示情報が指示した条件は、端末装置の現在通信モードでの通信リソースの干渉度合の閾値及び通信リソースの衝突度合の閾値の中の少なくとも１種を含んでもよい。
【００６６】
なお、ネットワーク装置は接続状態にある端末装置へ第２指示情報を送信してもよく、アイドル状態にある端末装置へ第２指示情報を送信してもよい。具体的に、いくつかの実施例において、端末装置が接続状態にある際に、ネットワーク装置は第１指示情報によって端末装置が切り替えを行うことを直接に指示し、端末装置がアイドル状態にある際は、ネットワーク装置は端末装置へ第１指示情報及び第２指示情報指示を送信し、それによって端末装置は第２指示情報に基づいて第１指示情報の指示に従って切り替えるか否かを確定する。
【００６７】
以上で図１を参照しながら、端末装置の角度から本発明の実施例による通信モードを切り替える方法を詳細的に説明したが、以下は図２を参照しながらネットワーク装置の角度から本発明の実施例による通信モードを切り替える方法を詳細的に説明する。理解すべきなのは、ネットワーク装置側の説明は端末装置側の説明と互いに対応し、類似な説明は上記を参照することができ、重複を避けるために、ここでは繰り返し説明しない。
【００６８】
図２は本発明の実施例による通信モードを切り替える方法を示す模式的なフローチャートである。図２の方法は、以下のステップ２１０と２２０を含む。
２１０、ネットワーク装置は第１指示情報を生成し、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードである。
２２０、前記ネットワーク装置は前記端末装置へ前記第１指示情報を送信する。
【００６９】
本発明の実施例において、端末装置はネットワーク装置が送信した第１指示情報に基づいて異なる通信モードの切り替えを行い、それによって端末装置は多種の通信モードの間で切り替えを行うことができ、通信システムの柔軟性を向上させる。
【００７０】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記ネットワーク装置が前記端末装置へ前記第１指示情報を送信することは、前記ネットワーク装置は前記端末装置へ再構成シグナリングを送信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含む。
【００７１】
選択肢として、いくつかの実施例において、前記再構成シグナリングは無線リソース制御ＲＲＣ再構成シグナリング、メディアアクセス制御制御要素ＭＡＣ  ＣＥ及び物理層シグナリングの中の１種である。
【００７２】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記ネットワーク装置が前記端末装置へ前記第１指示情報を送信することは、前記ネットワーク装置は前記端末装置へ解放シグナリングを送信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含む。
【００７３】
選択肢として、いくつかの実施例において、前記解放シグナリングは、ＲＲＣ接続解放シグナリング、ＭＡＣ  ＣＥ及び物理層シグナリングの中の１種である。
【００７４】
選択肢として、いくつかの実施例において、前記ネットワーク装置が前記端末装置へ前記第１指示情報を送信することは、前記ネットワーク装置は前記端末装置へシステム情報を送信し、前記システム情報は前記第１指示情報を含むことを含む。
【００７５】
選択肢として、いくつかの実施例において、前記ネットワーク装置が第１指示情報を生成する前に、前記方法は更に、前記ネットワーク装置は前記端末装置が送信したリソース使用情報を受信し、前記リソース使用情報は前記現在通信モードでの通信リソースの使用状況を指示することに用いられることを更に含む。
【００７６】
選択肢として、いくつかの実施例において、前記リソース使用情報は前記通信リソースの干渉状況及び前記通信リソースの衝突状況の中の少なくとも１種を含む。
【００７７】
選択肢として、いくつかの実施例において、図２の方法は更に、前記ネットワーク装置は前記ネットワーク装置が送信した前記端末装置の処理待ちサービスのサービス情報を受信することを含んでもよい。
【００７８】
選択肢として、いくつかの実施例において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【００７９】
選択肢として、いくつかの実施例において、図２の方法は更に、前記ネットワーク装置は前記端末装置へ第２指示情報を送信し、前記第２指示情報は前記端末装置が前記現在通信モードから前記ターゲット通信モードに切り替えるトリガーイベントを指示することに用いられることを含んでもよい。
【００８０】
選択肢として、いくつかの実施例において、前記第２指示情報は前記現在通信モードでの通信リソースの使用状況が前記第２指示情報に指示された条件を満たす場合に、前記端末装置が前記現在通信モードから前記ターゲット通信モードに切り替えることを指示することに用いられる。
【００８１】
選択肢として、いくつかの実施例において、前記第２指示情報が指示した前記条件は、前記通信リソースの干渉度合の閾値及び前記通信リソースの衝突度合の閾値の中の少なくとも１種を含む。
【００８２】
選択肢として、いくつかの実施例において、前記端末装置はアイドル状態にある端末装置である。
【００８３】
以上で図１〜図２を参照しながら、本発明の方法の実施例を詳細的に説明したが、以下で図３〜図６を参照しながら、本発明の装置の実施例を詳細的に説明する。理解すべきなのは、装置実施例と方法実施例とは互いに対応し、類似な説明は方法実施例を参照することができる。
【００８４】
図３は本発明の実施例による端末装置を示す模式的な構造図である。図３の端末装置３００は、
ネットワーク装置が送信した第１指示情報を受信することに用いられ、前記第１指示情報は前記端末装置３００が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置３００により自律制御された、ストレートインターフェイスに基づく通信モードである受信モジュール３１０、及び
前記第１指示情報に基づき、通信モードの切り替えを行うための切り替えモジュール３２０を備える。
【００８５】
本発明の実施例において、端末装置はネットワーク装置が送信した第１指示情報に基づいて異なる通信モードの切り替えを行い、それによって端末装置は多種の通信モードの間で切り替えることができ、通信システムの柔軟性を向上させる。
【００８６】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記受信モジュール３１０は具体的に前記ネットワーク装置が送信した再構成シグナリングを受信することに用いられ、前記再構成シグナリングは前記第１指示情報を含み、前記再構成シグナリングは前記端末装置３００が前記端末装置３００と前記ネットワーク装置との制御接続を維持しながら、前記第１指示情報の指示に従って通信モードを前記ターゲット通信モードに切り替えることを指示することに用いられる。
【００８７】
選択肢として、いくつかの実施例において、前記再構成シグナリングは無線リソース制御ＲＲＣ再構成シグナリング、メディアアクセス制御制御要素ＭＡＣ  ＣＥ及び物理層シグナリングの中の１種である。
【００８８】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記受信モジュール３１０は具体的に、前記ネットワーク装置が送信した解放シグナリングを受信することに用いられ、前記解放シグナリングは前記第１指示情報を含み、前記解放シグナリングは前記端末装置３００が前記端末装置３００と前記ネットワーク装置との間の制御接続を解放した後に、前記第１指示情報の指示に従って通信モードを前記ターゲット通信モードに切り替えることを指示することに用いられる。
【００８９】
選択肢として、いくつかの実施例において、前記解放シグナリングは、ＲＲＣ接続解放シグナリング、ＭＡＣ  ＣＥ及び物理層シグナリングの中の１種である。
【００９０】
選択肢として、いくつかの実施例において、前記受信モジュール３１０は、具体的に、前記ネットワーク装置が送信したシステム情報を受信することに用いられ、前記システム情報は前記第１指示情報を含む。
【００９１】
選択肢として、いくつかの実施例において、前記端末装置３００は、前記ネットワーク装置へリソース使用情報を送信することに用いられ、前記リソース使用情報は前記現在通信モードでの通信リソースの使用状況を指示することに用いられる第１送信モジュールを更に備える。
【００９２】
選択肢として、いくつかの実施例において、前記リソース使用情報は前記通信リソースの干渉状況及び前記通信リソースの衝突状況の中の少なくとも１種を含む。
【００９３】
選択肢として、いくつかの実施例において、前記端末装置３００は、前記ネットワーク装置へ前記端末装置３００の処理待ちサービスのサービス情報を送信するための第２送信モジュールを更に備える。
【００９４】
選択肢として、いくつかの実施例において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【００９５】
選択肢として、いくつかの実施例において、前記受信モジュール３１０は更に前記ネットワーク装置が送信した第２指示情報を受信することに用いられ、前記第２指示情報は前記端末装置３００が前記現在通信モードから前記ターゲット通信モードに切り替えるトリガーイベントを指示することに用いられる。
【００９６】
選択肢として、いくつかの実施例において、前記第２指示情報は、前記現在通信モードでの通信リソースの使用状況が前記第２指示情報に指示された条件を満たす場合に、前記端末装置３００が前記現在通信モードから前記ターゲット通信モードに切り替えることを指示することに用いられる。
【００９７】
選択肢として、いくつかの実施例において、前記第２指示情報が指示した前記条件は、前記通信リソースの干渉度合の閾値及び前記通信リソースの衝突度合の閾値の中の少なくとも１種を含む。
【００９８】
選択肢として、いくつかの実施例において、前記端末装置３００はアイドル状態にある端末装置である。
【００９９】
図４は本発明の実施例によるネットワーク装置を示す模式的な構造図である。図４のネットワーク装置４００は、
第１指示情報を生成することに用いられ、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置４００により制御された、ストレートインターフェイスに基づく通信モードであり、前記第３通信モードは前記端末装置により自律制御された、ストレートインターフェイスに基づく通信モードである生成モジュール４１０、及び
前記端末装置へ前記第１指示情報を送信するための送信モジュール４２０を備える。
【０１００】
本発明の実施例において、端末装置はネットワーク装置が送信した第１指示情報に基づいて異なる通信モードの切り替えを行い、それによって端末装置は多種の通信モードの間で切り替えを行うことができ、通信システムの柔軟性を向上させる。
【０１０１】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記送信モジュール４２０は、具体的に、前記端末装置へ再構成シグナリングを送信することに用いられ、前記再構成シグナリングは前記第１指示情報を含み、前記再構成シグナリングは、前記端末装置が前記端末装置と前記ネットワーク装置４００との制御接続を維持しながら、前記第１指示情報の指示に従って通信モードを前記ターゲット通信モードに切り替えることを指示することに用いられる。
【０１０２】
選択肢として、いくつかの実施例において、前記再構成シグナリングは無線リソース制御ＲＲＣ再構成シグナリング、メディアアクセス制御制御要素ＭＡＣ  ＣＥ及び物理層シグナリングの中の１種である。
【０１０３】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記送信モジュール４２０は、具体的に、前記端末装置へ解放シグナリングを送信することに用いられ、前記解放シグナリングは前記第１指示情報を含み、前記解放シグナリングは前記端末装置が前記端末装置と前記ネットワーク装置４００との間の制御接続を解放した後に、前記第１指示情報の指示に従って通信モードを前記ターゲット通信モードに切り替えることを指示することに用いられる。
【０１０４】
選択肢として、いくつかの実施例において、前記解放シグナリングは、ＲＲＣ接続解放シグナリング、ＭＡＣ  ＣＥ及び物理層シグナリングの中の１種である。
【０１０５】
選択肢として、いくつかの実施例において、前記送信モジュール４２０は、具体的に、前記端末装置へシステム情報を送信することに用いられ、前記システム情報は前記第１指示情報を含む。
【０１０６】
選択肢として、いくつかの実施例において、前記ネットワーク装置４００は、前記端末装置が送信したリソース使用情報を受信することに用いられ、前記リソース使用情報は前記現在通信モードでの通信リソースの使用状況を指示することに用いられる第１受信モジュールを更に備える。
【０１０７】
選択肢として、いくつかの実施例において、前記リソース使用情報は前記通信リソースの干渉状況及び前記通信リソースの衝突状況の中の少なくとも１種を含む。
【０１０８】
選択肢として、いくつかの実施例において、前記ネットワーク装置４００は、前記ネットワーク装置４００が送信した前記端末装置的処理待ちサービスのサービス情報を受信するための第２受信モジュールを更に備える。
【０１０９】
選択肢として、いくつかの実施例において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【０１１０】
選択肢として、いくつかの実施例において、前記送信モジュール４２０は更に、前記端末装置へ第２指示情報を送信することに用いられ、前記第２指示情報は前記端末装置が前記現在通信モードから前記ターゲット通信モードに切り替えるトリガーイベントを指示することに用いられる。
【０１１１】
選択肢として、いくつかの実施例において、前記第２指示情報は前記現在通信モードでの通信リソースの使用状況が前記第２指示情報に指示された条件を満たす場合に、前記端末装置が前記現在通信モードから前記ターゲット通信モードに切り替えることを指示することに用いられる。
【０１１２】
選択肢として、いくつかの実施例において、前記第２指示情報が指示した前記条件は、前記通信リソースの干渉度合の閾値及び前記通信リソースの衝突度合の閾値の中の少なくとも１種を含む。
【０１１３】
選択肢として、いくつかの実施例において、前記端末装置はアイドル状態にある端末装置である。
【０１１４】
図５は本発明の実施例による端末装置を示す模式的な構造図である。図５の端末装置５００は、
ネットワーク装置が送信した第１指示情報を受信することに用いられ、前記第１指示情報は前記端末装置５００が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置５００により自律制御された、ストレートインターフェイスに基づく通信モードであるトランシーバ５１０、及び、
前記第１指示情報に基づき、通信モードの切り替えを行うためのプロセッサー５２０を備える。
【０１１５】
本発明の実施例において、端末装置はネットワーク装置が送信した第１指示情報に基づいて異なる通信モードの切り替えを行い、それによって端末装置は多種の通信モードの間で切り替えを行うことができ、通信システムの柔軟性を向上させる。
【０１１６】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記トランシーバ５１０は具体的に前記ネットワーク装置が送信した再構成シグナリングを受信することに用いられ、前記再構成シグナリングは前記第１指示情報を含み、前記再構成シグナリングは前記端末装置５００が前記端末装置５００と前記ネットワーク装置との制御接続を維持しながら、前記第１指示情報の指示に従って通信モードを前記ターゲット通信モードに切り替えることを指示することに用いられる。
【０１１７】
選択肢として、いくつかの実施例において、前記再構成シグナリングは無線リソース制御ＲＲＣ再構成シグナリング、メディアアクセス制御制御要素ＭＡＣ  ＣＥ及び物理層シグナリングの中の１種である。
【０１１８】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記トランシーバ５１０は、具体的に、前記ネットワーク装置が送信した解放シグナリングを受信することに用いられ、前記解放シグナリングは前記第１指示情報を含み、前記解放シグナリングは前記端末装置５００が前記端末装置５００と前記ネットワーク装置との間の制御接続を解放した後に、前記第１指示情報の指示に従って通信モードを前記ターゲット通信モードに切り替えることを指示することに用いられる。
【０１１９】
選択肢として、いくつかの実施例において、前記解放シグナリングはＲＲＣ接続解放シグナリング、ＭＡＣ  ＣＥ及び物理層シグナリングの中の１種である。
【０１２０】
選択肢として、いくつかの実施例において、前記トランシーバ５１０は、具体的に、前記ネットワーク装置が送信したシステム情報を受信することに用いられ、前記システム情報は前記第１指示情報を含む。
【０１２１】
選択肢として、いくつかの実施例において、前記トランシーバ５１０は更に前記ネットワーク装置へリソース使用情報を送信することに用いられ、前記リソース使用情報は前記現在通信モードでの通信リソースの使用状況を指示することに用いられる。
【０１２２】
選択肢として、いくつかの実施例において、前記リソース使用情報は前記通信リソースの干渉状況及び前記通信リソースの衝突状況の中の少なくとも１種を含む。
【０１２３】
選択肢として、いくつかの実施例において、前記トランシーバ５１０は更に前記ネットワーク装置へ前記端末装置５００の処理待ちサービスのサービス情報を送信することに用いられる。
【０１２４】
選択肢として、いくつかの実施例において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【０１２５】
選択肢として、いくつかの実施例において、前記トランシーバ５１０は更に前記ネットワーク装置が送信した第２指示情報を受信することに用いられ、前記第２指示情報は前記端末装置５００が前記現在通信モードから前記ターゲット通信モードに切り替えるトリガーイベントを指示することに用いられる。
【０１２６】
選択肢として、いくつかの実施例において、前記第２指示情報は前記現在通信モードでの通信リソースの使用状況が前記第２指示情報に指示された条件を満たす場合に、前記端末装置５００が前記現在通信モードから前記ターゲット通信モードに切り替えることを指示することに用いられる。
【０１２７】
選択肢として、いくつかの実施例において、前記第２指示情報が指示した前記条件は、前記通信リソースの干渉度合の閾値及び前記通信リソースの衝突度合の閾値の中の少なくとも１種を含む。
【０１２８】
選択肢として、いくつかの実施例において、前記端末装置５００はアイドル状態にある端末装置である。
【０１２９】
図６は本発明の実施例によるネットワーク装置を示す模式的な構造図である。図６のネットワーク装置６００は、
第１指示情報を生成することに用いられ、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置６００により制御された、ストレートインターフェイスに基づく通信モードであり、前記第３通信モードは前記端末装置により自律制御された、ストレートインターフェイスに基づく通信モードであるプロセッサー６１０、及び
前記端末装置へ前記第１指示情報を送信するためのトランシーバ６２０を備える。
【０１３０】
本発明の実施例において、端末装置はネットワーク装置が送信した第１指示情報に基づいて異なる通信モードの切り替えを行い、それによって端末装置は多種の通信モードの間で切り替えを行うことができ、通信システムの柔軟性を向上させる。
【０１３１】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記トランシーバ６２０は、具体的に、前記端末装置へ再構成シグナリングを送信することに用いられ、前記再構成シグナリングは前記第１指示情報を含み、前記再構成シグナリングは前記端末装置が前記端末装置と前記ネットワーク装置６００との制御接続を維持しながら、前記第１指示情報の指示に従って通信モードを前記ターゲット通信モードに切り替えることを指示することに用いられる。
【０１３２】
選択肢として、いくつかの実施例において、前記再構成シグナリングは無線リソース制御ＲＲＣ再構成シグナリング、メディアアクセス制御制御要素ＭＡＣ  ＣＥ及び物理層シグナリングの中の１種である。
【０１３３】
選択肢として、いくつかの実施例において、前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、前記トランシーバ６２０は、具体的に、前記端末装置へ解放シグナリングを送信することに用いられ、前記解放シグナリングは前記第１指示情報を含み、前記解放シグナリングは前記端末装置が前記端末装置と前記ネットワーク装置６００との間の制御接続を解放した後に、前記第１指示情報の指示に従って通信モードを前記ターゲット通信モードに切り替えることを指示することに用いられる。
【０１３４】
選択肢として、いくつかの実施例において、前記解放シグナリングはＲＲＣ接続解放シグナリング、ＭＡＣ  ＣＥ及び物理層シグナリングの中の１種である。
【０１３５】
選択肢として、いくつかの実施例において、前記トランシーバ６２０は、具体的に、前記端末装置へシステム情報を送信することに用いられ、前記システム情報は前記第１指示情報を含む。
【０１３６】
選択肢として、いくつかの実施例において、前記トランシーバ６２０は更に、前記端末装置が送信したリソース使用情報を受信することに用いられ、前記リソース使用情報は前記現在通信モードでの通信リソースの使用状況を指示することに用いられる。
【０１３７】
選択肢として、いくつかの実施例において、前記リソース使用情報は前記通信リソースの干渉状況及び前記通信リソースの衝突状況の中の少なくとも１種を含む。
【０１３８】
選択肢として、いくつかの実施例において、前記トランシーバ６２０は更に、前記ネットワーク装置６００が送信した前記端末装置の処理待ちサービスのサービス情報を受信することに用いられる。
【０１３９】
選択肢として、いくつかの実施例において、前記処理待ちサービスのサービス情報は、前記処理待ちサービスにおけるデータパケットの送信周期、前記処理待ちサービスにおけるデータパケットの伝送モード、前記処理待ちサービスに使用されるベアラのタイプ、前記処理待ちサービスにおけるデータパケットのサイズの中の少なくとも１種を含む。
【０１４０】
選択肢として、いくつかの実施例において、前記トランシーバ６２０は更に、前記端末装置へ第２指示情報を送信することに用いられ、前記第２指示情報は前記端末装置が前記現在通信モードから前記ターゲット通信モードに切り替えるトリガーイベントを指示することに用いられる。
【０１４１】
選択肢として、いくつかの実施例において、前記第２指示情報は前記現在通信モードでの通信リソースの使用状況が前記第２指示情報に指示された条件を満たす場合に、前記端末装置が前記現在通信モードから前記ターゲット通信モードに切り替えることを指示することに用いられる。
【０１４２】
選択肢として、いくつかの実施例において、前記第２指示情報が指示した前記条件は、前記通信リソースの干渉度合の閾値及び前記通信リソースの衝突度合の閾値の中の少なくとも１種を含む。
【０１４３】
選択肢として、いくつかの実施例において、前記端末装置はアイドル状態にある端末装置である。
【０１４４】
当業者は、本文に開示された実施例に記載の各例示のユニット及びアルゴリズムステップを組み合わせて、電子ハードウェア、又はコンピュータソフトウェアと電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１４５】
当業者は、便利且つ簡単に説明するために、上記に記載のシステム、装置及びユニットの具体的な作業過程は、上記方法の実施例における対応過程を参照することができ、ここで繰り返して説明しないことを明らかに了解できる。
【０１４６】
本発明によるいくつかの実施例において、開示したシステム、装置及び方法は、その他の方式によって実現されることができることを理解すべきである。例えば以上のような装置実施例は単に例示的なものであり、例えば、前記ユニットの分割は、論理的な機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した互いの間のカップリング、又は直接カップリング、又は通信接続はいくつかのインターフェース、装置又はユニットによる間接カップリング又は通信接続であってもよく、電気的、機械的又はその他の形式の接続であってもよい。
【０１４７】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０１４８】
また、本発明の各実施例における各機能ユニットは１つの処理ユニットに集積されてもよいし、各ユニットは単独に物理的に存在してもよいし、２つ又は２つ以上のユニットが１つのユニットに集積されてもよい。
【０１４９】
前記機能はソフトウェア機能ユニットの形式で実現するとともに独立した製品として販売又は使用される場合、1つのコンピュータ読み取り可能な記憶媒体に記憶することができる。このような理解に基づいて、本発明の実施例の技術的解決手段の、本質的或いは従来技術に貢献する部分或いは該技術的解決手段の部分は、ソフトウェア製品の形式で表現することができ、該コンピュータソフトウェア製品は１つの記憶媒体に記憶され、一台のコンピュータ設備（パーソナルコンピュータ、サーバー、或いはネットワーク設備等であってもよい）が本発明の各実施例に記載の方法の全部又は一部を実行するための若干の指令を含む。前述の記憶媒体は、Ｕディスク、モバイルハードディスク、読み出し専用記憶装置（ＲＯＭ、Ｒｅａｄ−Ｏｎｌｙ  Ｍｅｍｏｒｙ、）、ランダムアクセスメモリ（ＲＡＭ、Ｒａｎｄｏｍ  Ａｃｃｅｓｓ  Ｍｅｍｏｒｙ）、ディスク或いはＣＤ等の様々なプログラムコードを記憶できる媒体を含む。
【０１５０】
以上で説明したのは、単に本発明の具体的な実施形態であるが、本発明の保護範囲はこれに限定されず、当業者は誰でも、本発明に開示された技術範囲において、想到しやすい変化又は置換はすべて本発明の保護範囲に含まれる。このため、本発明の保護範囲は請求の範囲の保護範囲を基準とすべきである
【図１】
2020502876.tif 000003
【図２】
2020502876.tif 000004
【図３】
2020502876.tif 000005
【図４】
2020502876.tif 000006
【図５】
2020502876.tif 000007
【図６】
2020502876.tif 000008
【手続補正書】
【提出日】令和1年10月21日(2019.10.21)
【手続補正１】
【補正対象書類名】明細書
【補正対象項目名】００２８
【補正方法】変更
【補正の内容】
【００２８】
第２態様を組み合わせ、第２態様のいくつかの実現方式において、前記方法は、前記ネットワーク装置は前記端末装置が送信した前記端末装置の処理待ちサービスのサービス情報を受信することを更に含む。
【手続補正２】
【補正対象書類名】明細書
【補正対象項目名】００７７
【補正方法】変更
【補正の内容】
【００７７】
選択肢として、いくつかの実施例において、図２の方法は更に、前記ネットワーク装置は前記端末装置が送信した前記端末装置の処理待ちサービスのサービス情報を受信することを含んでもよい。
【手続補正３】
【補正対象書類名】明細書
【補正対象項目名】０１０８
【補正方法】変更
【補正の内容】
【０１０８】
選択肢として、いくつかの実施例において、前記ネットワーク装置４００は、前記端末装置が送信した前記端末装置的処理待ちサービスのサービス情報を受信するための第２受信モジュールを更に備える。
【手続補正４】
【補正対象書類名】明細書
【補正対象項目名】０１３８
【補正方法】変更
【補正の内容】
【０１３８】
選択肢として、いくつかの実施例において、前記トランシーバ６２０は更に、前記端末装置が送信した前記端末装置の処理待ちサービスのサービス情報を受信することに用いられる。
【手続補正５】
【補正対象書類名】特許請求の範囲
【補正対象項目名】全文
【補正方法】変更
【補正の内容】
【特許請求の範囲】
【請求項１】
通信モードを切り替える方法であって、
端末装置はネットワーク装置が送信した第１指示情報を受信し、前記第１指示情報は前記端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードであることと、
前記端末装置は前記第１指示情報に基づき、通信モードの切替を行うことと、を含むことを特徴とする通信モードを切り替える方法。
【請求項２】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記端末装置がネットワーク装置が送信した第１指示情報を受信することは、
前記端末装置は前記ネットワーク装置が送信した再構成シグナリングを受信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含み、
前記再構成シグナリングは無線リソース制御ＲＲＣ再構成シグナリング、メディアアクセス制御制御要素ＭＡＣ  ＣＥ及び物理層シグナリングの中の１種であることを特徴とする請求項１に記載の方法。
【請求項３】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記端末装置がネットワーク装置が送信した第１指示情報を受信することは、
前記端末装置は前記ネットワーク装置が送信した解放シグナリングを受信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含み、
前記解放シグナリングは、ＲＲＣ接続解放シグナリング、ＭＡＣ  ＣＥ及び物理層シグナリングの中の１種であることを特徴とする請求項１に記載の方法。
【請求項４】
前記端末装置がネットワーク装置が送信した第１指示情報を受信する前に、前記方法は、
前記端末装置は前記ネットワーク装置へリソース使用情報を送信し、前記リソース使用情報は前記現在通信モードでの通信リソースの使用状況を指示することに用いられることを更に含むことを特徴とする請求項１〜３のいずれかに記載の方法。
【請求項５】
前記リソース使用情報は前記通信リソースの干渉状況及び前記通信リソースの衝突状況の中の少なくとも１種を含むことを特徴とする請求項４に記載の方法。
【請求項６】
前記方法は、
前記端末装置は前記ネットワーク装置へ前記端末装置の処理待ちサービスのサービス情報を送信することを更に含み、
前記サービスのサービス情報は、データパケットの送信周期、データパケットの伝送モード、ベアラタイプ、データパケットサイズの中の少なくとも１種を含むことを特徴とする請求項１〜５のいずれかに記載の方法。
【請求項７】
前記方法は、
前記端末装置は前記ネットワーク装置が送信した第２指示情報を受信し、前記第２指示情報は前記端末装置が前記現在通信モードから前記ターゲット通信モードに切り替えるトリガーイベントを指示することに用いられることを更に含み、
前記第２指示情報は、前記現在通信モードでの通信リソースの使用状況が前記第２指示情報に指示された条件を満たす場合に、前記端末装置が前記現在通信モードから前記ターゲット通信モードに切り替えることを指示することに用いられ、
前記第２指示情報が指示した前記条件は、干渉度合の閾値及び衝突度合の閾値の中の少なくとも１種を含むことを特徴とする請求項１〜６のいずれかに記載の方法。
【請求項８】
通信モードを切り替える方法であって、
ネットワーク装置は第１指示情報を生成し、前記第１指示情報は端末装置が現在通信モードからターゲット通信モードに切り替えることを指示することに用いられ、前記現在通信モード及び前記ターゲット通信モードは第１通信モード、第２通信モード及び第３通信モードの中の任意の２種の通信モードであり、前記第１通信モードはＵｕインターフェイスに基づく通信モードであり、前記第２通信モードは前記ネットワーク装置により制御された、ストレートインターフェイスに基づく通信モードであり、前記第３通信モードは前記端末装置により自律制御された、ストレートインターフェイスに基づく通信モードであることと、
前記ネットワーク装置は前記端末装置へ前記第１指示情報を送信することと、を含むことを特徴とする通信モードを切り替える方法。
【請求項９】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記ネットワーク装置が前記端末装置へ前記第１指示情報を送信することは、
前記ネットワーク装置は前記端末装置へ再構成シグナリングを送信し、前記再構成シグナリングは前記第１指示情報を含み、前記再構成シグナリングは前記端末装置が前記端末装置と前記ネットワーク装置との制御接続を維持しながら、前記第１指示情報の指示に従って通信モードを前記ターゲット通信モードに切り替えることを指示することに用いられることを含み、
前記再構成シグナリングは無線リソース制御ＲＲＣ再構成シグナリング、メディアアクセス制御制御要素ＭＡＣ  ＣＥ及び物理層シグナリングの中の１種であることを特徴とする請求項８に記載の方法。
【請求項１０】
前記現在通信モードは前記第１通信モード及び前記第２通信モードの中の１種の通信モードであり、前記ターゲット通信モードは前記第１通信モード及び前記第２通信モードの中の、前記現在通信モードを除いた他種の通信モードであり、
前記ネットワーク装置が前記端末装置へ前記第１指示情報を送信することは、
前記ネットワーク装置は前記端末装置へ解放シグナリングを送信し、前記解放シグナリングは前記第１指示情報を含み、前記解放シグナリングは前記端末装置が前記端末装置と前記ネットワーク装置との間の制御接続を解放した後に、前記第１指示情報の指示に従って通信モードを前記ターゲット通信モードに切り替えることを指示することに用いられることを含み、
前記解放シグナリングは、ＲＲＣ接続解放シグナリング、ＭＡＣ  ＣＥ及び物理層シグナリングの中の１種であることを特徴とする請求項８に記載の方法。
【請求項１１】
前記ネットワーク装置が第１指示情報を生成する前に、前記方法は、
前記ネットワーク装置は前記端末装置が送信したリソース使用情報を受信し、前記リソース使用情報は前記現在通信モードでの通信リソースの使用状況を指示することに用いられることを更に含み、
前記リソース使用情報は、前記通信リソースの干渉状況及び前記通信リソースの衝突状況の中の少なくとも１種を含むことを特徴とする請求項８〜１０のいずれかに記載の方法。
【請求項１２】
前記方法は、
前記ネットワーク装置は前記端末装置が送信した前記端末装置の処理待ちサービスのサービス情報を受信することを更に含み、
前記サービスのサービス情報は、データパケットの送信周期、データパケットの伝送モード、ベアラタイプ、データパケットサイズの中の少なくとも１種を含むことを特徴とする請求項８〜１１のいずれかに記載の方法。
【請求項１３】
前記方法は、
前記ネットワーク装置は前記端末装置へ第２指示情報を送信し、前記第２指示情報は前記端末装置が前記現在通信モードから前記ターゲット通信モードに切り替えるトリガーイベントを指示することに用いられることを更に含み、
前記第２指示情報は、前記現在通信モードでの通信リソースの使用状況が前記第２指示情報に指示された条件を満たす場合に、前記端末装置が前記現在通信モードから前記ターゲット通信モードに切り替えることを指示することに用いられ、
前記第２指示情報が指示した前記条件は、干渉度合の閾値及び衝突度合の閾値の中の少なくとも１種を含むことを特徴とする請求項８〜１２のいずれかに記載の方法。
【請求項１４】
端末装置であって、プロセッサー及びトランシーバを備え、前記プロセッサーは前記トランシーバに基づいて請求項１〜９のいずれかに記載の方法を実行する端末装置。  
【請求項１５】
ネットワーク装置であって、プロセッサー及びトランシーバを備え、前記プロセッサーは前記トランシーバに基づいて請求項１０〜１３のいずれかに記載の方法を実行するネットワーク装置。
【国際調査報告】
2020502876.tif 000009
2020502876.tif 000010
2020502876.tif 000011
2020502876.tif 000012